(57)【要約】【課題】ラベル型ＩＣタグが貼付された物品の面に荷重が作用しても、ＩＣチップが損傷しないようにすることである。【解決手段】ＩＣチップ３を囲う全部の周囲で、基板２に固着されたアンテナ４の一部を、ＩＣチップ３の厚みよりも厚くした矩形枠状の保護部材４ａとすることにより、ラベル型ＩＣタグ１が貼付された物品の面に荷重が作用しても、この荷重がＩＣチップ３に負荷されないように周囲の保護部材４ａで受けて、ＩＣチップ３が損傷しないようにした。【選択図】図１
2008140112.tif 000002
【特許請求の範囲】
【請求項１】
フィルム状の基板にＩＣチップとアンテナが固着され、物品に貼付されるラベル型ＩＣタグにおいて、前記ＩＣチップを囲う全部または一部の周囲で、このＩＣチップの厚みよりも厚い保護部材を前記基板に固着したことを特徴とするラベル型ＩＣタグ。
【請求項２】
前記保護部材が、前記アンテナを兼ねるものである請求項１に記載のラベル型ＩＣタグ。
【請求項３】
前記ラベル型ＩＣタグが、前記物品としてのシート材の巻き取りコイルの胴面または鏡面に貼付されるものである請求項１または２に記載のラベル型ＩＣタグ。
【発明の詳細な説明】
【技術分野】
【０００１】
本発明は、フィルム状の基板にＩＣチップとアンテナが固着されたラベル型ＩＣタグに関する。
【背景技術】
【０００２】
ＩＣチップとアンテナを基板に一体に組み込み、無線通信で種々の情報をＩＣチップに読み書きできるＩＣタグには様々な形態のものがあるが、フィルム状の可撓性基板に、ＩＣチップとアンテナを接着やラッピング等によって固着したラベル型ＩＣタグは、種々の形状の物品に容易に貼付でき、物品のハンドリングや積み重ね等の妨げにもならないので、近年、物品の情報管理用等に多く使用され始めている（例えば、特許文献１参照）。特許文献１に記載されたものでは、ラベル型ＩＣタグを物品としての書籍に貼付し、図書館での書籍の貸し出し等の管理に利用している。
【０００３】
【特許文献１】特開２００４−３４８６７５号公報
【発明の開示】
【発明が解決しようとする課題】
【０００４】
上述したラベル型ＩＣタグは、全体としては薄くて扁平であるので、物品に貼付してもその表面に凹凸を生じることはないが、ＩＣチップの厚みは、銅等の薄い金属箔で形成されたアンテナよりも厚いので、ＩＣタグを貼付した面で物品を積み重ねたり、物品を床置きしたりすると、ＩＣタグを貼付した面に作用する物品の重量等の荷重が、アンテナよりも突出するＩＣチップに集中的に負荷され、ＩＣチップが損傷する恐れがある。このようなＩＣチップの損傷は、貼付される物品の重量が大きいほど起こりやすい。
【０００５】
そこで、本発明の課題は、ラベル型ＩＣタグが貼付された物品の面に荷重が作用しても、ＩＣチップが損傷しないようにすることである。
【課題を解決するための手段】
【０００６】
上記の課題を解決するために、本発明は、フィルム状の基板にＩＣチップとアンテナが固着され、物品に貼付されるラベル型ＩＣタグにおいて、前記ＩＣチップを囲う全部または一部の周囲で、このＩＣチップの厚みよりも厚い保護部材を前記基板に固着した構成を採用した。
【０００７】
すなわち、ＩＣチップを囲う全部または一部の周囲で、このＩＣチップの厚みよりも厚い保護部材を基板に固着することにより、ラベル型ＩＣタグが貼付された物品の面に荷重が作用しても、この荷重がＩＣチップに負荷されないように周囲の保護部材で受けて、ＩＣチップが損傷しないようにした。
【０００８】
前記保護部材は、前記アンテナを兼ねるものとすることができる。
【０００９】
上述した各ラベル型ＩＣタグは、前記物品としてのシート材の巻き取りコイルの胴面または鏡面に貼付されるものに好適である。
【発明の効果】
【００１０】
本発明のラベル型ＩＣタグは、ＩＣチップを囲う全部または一部の周囲で、このＩＣチップの厚みよりも厚い保護部材を基板に固着することにより、ラベル型ＩＣタグが貼付された物品の面に荷重が作用しても、この荷重がＩＣチップに負荷されないように周囲の保護部材で受けるようにしたので、ＩＣチップが損傷しないようにすることができる。
【発明を実施するための最良の形態】
【００１１】
以下、図面に基づき、この発明の実施形態を説明する。図１に示すように、このラベル型ＩＣタグ１は、フィルム状の可撓性基板２に、ＩＣチップ３と銅箔で形成されたアンテナ４を接着によって固着したものであり、ＩＣチップ３の周囲を囲うアンテナ４の一部が、ＩＣチップ３の厚みよりも厚く形成された矩形枠状の保護部材４ａとされている。したがって、ラベル型ＩＣタグ１が貼付される物品の面に荷重が作用しても、この荷重がＩＣチップ３の周囲の保護部材４ａで受けられるので、ＩＣチップ３が損傷することはない。
【００１２】
図２（ａ）、（ｂ）、（ｃ）、（ｄ）、（ｅ）、（ｆ）、（ｇ）は、前記保護部材４ａの変形例を示す。（ａ）、（ｂ）、（ｃ）、（ｄ）の各変形例は、それぞれ保護部材４ａを、円形枠状、三角形枠状、菱形枠状および六角形枠状とし、ＩＣチップ３の全部の周囲を囲うようにしたものである。また、（ｅ）、（ｆ）、（ｇ）の各変形例は、それぞれ保護部材４ａを、ＩＣチップ３の両側で対向する２つの直線状、ＩＣチップ３の両側で対向する２つの円弧状、および三角形枠の各頂部を切欠いた形状とし、ＩＣチップ３の一部の周囲を囲うようにしたものである。
【００１３】
図３（ａ）、（ｂ）は、それぞれ前記ラベル型ＩＣタグ１を段ボール原紙の巻き取りコイル１１に貼付した例を示す。図３（ａ）は、ラベル型ＩＣタグ１を巻き取りコイル１１の鏡面１１ａに貼付した例、図３（ｂ）は、ラベル型ＩＣタグ１を巻き取りコイル１１の胴面１１ｂの端部に貼付した例である。なお、段ボール原紙の巻き取りコイル１１は、大きいものでは、直径が１．２ｍ、幅が２．８ｍもあり、その重量は１．５ｔｏｎにもなる。
【００１４】
前記各ラベル型ＩＣタグ１は、巻き取りコイル１１の入荷時に、入荷番号、入荷日、メーカ名、段ボール原紙の銘柄、坪量、サイズ等の情報が書き込まれて貼付される。ラベル型ＩＣタグ１を貼付された巻き取りコイル１１は、一旦ストックヤードに保管されて、適宜段ボールの製造ラインに供給され、ラベル型ＩＣタグ１に書き込まれた情報は、無線通信で工場の管理コンピュータに入力されて、段ボール原紙の在庫管理や段ボールの製造計画等に利用される。
【００１５】
図４は、前記ラベル型ＩＣタグ１が鏡面１１ａに貼付された巻き取りコイル１１を、ストックヤードに保管する状態を示す。各巻き取りコイル１１は、鏡面１１ａを上下方向に向けて積み重ねられている。このとき、ラベル型ＩＣタグ１が貼付された巻き取りコイル１１の鏡面１１ａの上に、別の重い巻き取りコイル１１が積み重ねられても、その重量は前記ＩＣチップ３の周囲の保護部材４ａで受けられるので、ＩＣチップ３が損傷することはない。
【００１６】
図５（ａ）は、前記ラベル型ＩＣタグ１が胴面１１ｂに貼付された巻き取りコイル１１を、工場の床面１２に転がしてハンドリングする状態を示す。このとき、図５（ｂ）に拡大して示すように、転がる巻き取りコイル１１の胴面１１ｂに貼付されたラベル型ＩＣタグ１が床面１２に接触しても、厚みの厚い保護部材４ａで周囲を囲われたＩＣチップ３は床面１２と接触せず、巻き取りコイル１１の重量は保護部材４ａで受けられるので、ＩＣチップ３が損傷することはない。
【００１７】
上述した実施形態では、アンテナの一部を保護部材としたが、アンテナとは別に保護部材を基板に固着することもできる。また、アンテナの全部をＩＣチップよりも厚い保護部材とすることもできる。なお、アンテナの形状は、実施形態のものに限定されることはなく、任意の形状とすることができる。
【図面の簡単な説明】
【００１８】
【図１】ラベル型ＩＣタグの実施形態を示す平面図
【図２】ａ、ｂ、ｃ、ｄ、ｅ、ｆ、ｇは、それぞれ図１の保護部材の変形例を示す平面図
【図３】ａ、ｂは、それぞれ図１のラベル型ＩＣタグを貼付した巻き取りコイルを示す斜視図
【図４】図３（ａ）の巻き取りコイルをストックヤードに積み重ねた状態を示す斜視図
【図５】ａは図３（ｂ）の巻き取りコイルを床面に転がしてハンドリングする状態を示す斜視図、ｂはａのラベル型ＩＣタグが床面と接触する状態を拡大して示す断面図
【符号の説明】
【００１９】
１  ラベル型ＩＣタグ
２  基板
３  ＩＣチップ
４  アンテナ
４ａ  保護部材
１１  巻き取りコイル
１１ａ  鏡面
１１ｂ  胴面
１２  床面
【図１】
2008140112.tif 000003
【図２】
2008140112.tif 000004
【図３】
2008140112.tif 000005
【図４】
2008140112.tif 000006
【図５】
2008140112.tif 000007